(57)【要約】      （修正有）【課題】医科や歯科等の医療分野における施術の順序や治療器具の使用方法、手順、注意書等を、簡単に、且つ術者が参照する際に手の動きを妨げることなく容易に確認できる医療用使い捨てグローブを提供する。【解決手段】合成樹脂またはゴムからなる実質的に半透明乃至不透明な使い捨てグローブ１において、手首から指先までにおける手の甲側の少なくとも一部に説明提示手段１ａが設けられている。【選択図】図１
0003191794.tif 000002
【実用新案登録請求の範囲】
【請求項１】
合成樹脂またはゴムからなる実質的に半透明乃至不透明な使い捨てグローブにおいて、手首から指先までにおける手の甲側の少なくとも一部に説明表示手段が設けられていることを特徴とする医療用使い捨てグローブ。
【請求項２】
人差し指に設けられている説明表示手段、中指に設けられている説明表示手段、薬指に設けられている説明表示手段、および小指に設けられている説明表示手段のそれぞれにより表示されている情報が、この順に関連付けられている請求項１に記載の医療用使い捨てグローブ。
【請求項３】
親指以外の指に設けられているそれぞれの説明表示手段により表示されている情報が、親指に設けられている説明表示手段により表示されている情報を基準とした情報である請求項１に記載の医療用使い捨てグローブ。
【請求項４】
左右の対応する指に設けられた説明表示手段に表示されている情報が、互いに関連した情報である請求項１に記載の医療用使い捨てグローブ。
【請求項５】
材質が天然ゴムラテックス、アクリロニトリルまたはポリ塩化ビニルである請求項１から４の何れか１項に記載の医療用使い捨てグローブ。
【考案の詳細な説明】
【技術分野】
【０００１】
本考案は、医療分野で用いられる使い捨てグローブに関する。
【背景技術】
【０００２】
医科や歯科等の医療分野において治療には多くの手順が必要なことが多く、特に手術においては、術者は限られた時間の中で複雑な操作を正しい順序で行わなければならない。このような手術としては、例えば歯科分野における歯科インプラント治療における歯科用インプラントフィクスチャーの顎骨への埋入がある（例えば、特許文献１参照。）。
【０００３】
上記の歯科用インプラントフィクスチャーの顎骨への埋入においては、初めに、歯肉を切開または切除して露出させた欠損歯部の顎骨に対して、ガイドドリル、デプスドリル、パイロットドリル、ツイストドリル、カウンターボアドリル及びボーンタップといったドリルやディレクションインディケーター等を使用して欠損歯部の顎骨内に埋入孔を穿設する。次にその埋入孔内にフィクスチャードライバーを使用して適切な大きさの歯科用インプラントフィクスチャーを埋入する。その後、埋入した歯科用インプラントフィクスチャーの口腔内側をカバースクリューで覆う。さらに歯科用アバットメント装着前には、歯科用アバットメントと骨が干渉しないようにボーンプロファイルバーを使用して骨を切削する等の一連の操作が行われる。また、同じ種類の治療器具でもその径や長さが異なるものがあり、施術に要する治療器具は非常に種類が多い。
【０００４】
このように、手術においては複雑な手順を正しく実行し、多種類の治療器具から正しいものを選択しなければならない。このため術者は、手術前にこれらの情報を記憶する必要があり、負担が大きかった。
【０００５】
術者の記憶を補助するための試みとして、治療器具に数値や記号、色彩等とを対応づけておくものがある（例えば、特許文献２、３参照。）。しかし、術者はこの対応づけを予め覚えておく必要があり、覚えていない場合や手術中に忘れた場合には対応づけを後述するような別のチャートや、冊子状の手順書や説明書を確認しなければならないが、滅菌状態である手術室内にチャート等を持ち込むことは好ましいことではなく、また煩雑で時間が掛かるという問題があった。
【０００６】
また、短い文章を治療器具に表示して種類や機能を表示する方法も考案されている（例えば、特許文献４参照。）。しかし、例えば、ガイドドリル、デプスドリル、パイロットドリル、ツイストドリル、カウンターボアドリル、ボーンプロファイルバー及びボーンタップのように専門用語が多く、一見して区別が容易ではない治療器具の種類では間違いが起こりやすい。さらに、インプラントの組み合わせによって治療器具が異なる場合や、使う順序等は治療器具自体には対応しきれないことが多かった。
【０００７】
このような問題に対して、従来では、インプラントの組み合わせの種類や治療手順等はカードなどの形態で提供されている別のチャートを参照しながら行われていた。チャート等の表示方法は術者の手の動きを妨げてしまい施術に悪影響を及ぼす虞があった。
【０００８】
同様に、歯科用接着剤，歯科用セメント等に代表される歯科医院で使用される歯科用材料や、陶材，硬質レジン歯作製用材料等の歯科技工所で使用される歯科用材料による治療の場合、その使用時の一連の操作手順が詳細に定められている。例として、歯科用接着剤であれば、「歯面の乾燥」→「処理液塗布後１０秒放置」→「接着剤塗布」→「エアーで乾燥」→「光照射１０秒」といった多くのステップがある。また、歯科用セメントであれば、複数の処理液や紛体を組み合わせて使用されることが一般的であるが、これら構成材の使用の順序や混練比等が症例によって異なる等、手術前に記憶するべきことが多い。操作手順や混練比といった歯科用材料の使用方法に関する情報は製品に添付されている説明書に詳細に記載されている。しかし通常、説明書には細かい字で大量の情報が記載され、手術中に参照するには非常に煩雑である。このため、手術中であってもこれらの情報を容易に確認できる手段が望まれていた。
【先行技術文献】
【特許文献】
【０００９】
【特許文献１】特開２００４−１１３４８８号公報
【特許文献２】特開２０１１−１２０８１６号公報
【特許文献３】特開２００３−３４０６２１号公報
【特許文献４】実開昭６１−４６１１５号公報
【考案の概要】
【考案が解決しようとする課題】
【００１０】
そこで本考案は、医科や歯科等の医療分野における施術の順序や治療器具の使用方法、手順、注意書等を、簡単に、且つ術者が参照する際に手の動きを妨げることなく容易に確認できる手段を提供することを課題とする。
【課題を解決するための手段】
【００１１】
本考案者等は前記課題を解決するため鋭意検討を重ねた結果、手術を行う際、術者である医師や歯科医師が患部の汚染や、手への血液等の付着や、手の防護、感染防止等のために使用しているグローブに着目し、このグローブに医科や歯科等の医療分野における施術の順序や治療器具の使用方法、手順、注意書等を表示することにより、前記課題を解決できることを見出して本考案を完成させた。
【００１２】
以下、本考案について説明する。ここでは分かり易さのため、図面に付した参照符号を併せて記載するが、本発明はこれらに限定されるものではない。
【００１３】
請求項１に記載の考案は、合成樹脂またはゴムからなる実質的に半透明乃至不透明な使い捨てグローブ（１）において、手首から指先までにおける手の甲側の少なくとも一部に説明表示手段（1a）が設けられていることを特徴とする医療用使い捨てグローブ（１）である。
【００１４】
請求項２に記載の考案は、人差し指に設けられている説明表示手段（12a）、中指に設けられている説明表示手段（13a）、薬指に設けられている説明表示手段（14a）、および小指に設けられている説明表示手段（15a）のそれぞれにより表示されている情報が、この順に関連付けられている請求項１に記載の医療用使い捨てグローブ（１）である。
【００１５】
請求項３に記載の考案は、親指以外の指に設けられているそれぞれの説明表示手段（122a，123a，124a，125a）により表示されている情報が、親指に設けられている説明表示手段（121a）により表示されている情報を基準とした情報である請求項１に記載の医療用使い捨てグローブ（１）である。
【００１６】
請求項４に記載の考案は、左右の対応する指に設けられた説明表示手段に表示されている情報が、互いに関連した情報である請求項１に記載の医療用使い捨てグローブ（１）である。
【００１７】
請求項５に記載の考案は、材質が天然ゴムラテックス、アクリロニトリルまたはポリ塩化ビニルである請求項１から４の何れか１項に記載の医療用使い捨てグローブ（１）である。
【考案の効果】
【００１８】
本考案に係る医療用使い捨てグローブによれば、医科や歯科等の医療分野における施術の順序や治療器具の使用方法、手順、注意書等を、簡単に、且つ術者が参照する際に手の動きを妨げることなく容易に確認することができる。
【図面の簡単な説明】
【００１９】
【図１】本考案に係る医療用使い捨てグローブ１の一実施形態を示す斜視図。
【図２】他の実施形態に係る医療用使い捨てグローブ１を示す説明用の正面図。
【図３】さらに他の実施形態の医療用使い捨てグローブ１を示す説明用の正面図。
【図４】さらに他の実施形態の左右一組の医療用使い捨てグローブ１を示す説明用の正面図。
【考案を実施するための形態】
【００２０】
本考案の作用及び利得は、次に説明する考案を実施するための形態から明らかにされる。以下、本考案を図面に示す実施形態に基づき説明する。ただし本考案はこれら実施形態に限定されるものではない。
【００２１】
図１は本考案に係る医療用使い捨てグローブ１の一実施形態を示す斜視図である。本実施形態の医療用使い捨てグローブ１は、歯科インプラント治療に用いられるものであり左手用である。医療用使い捨てグローブ１の手の甲の部分には説明表示手段1aが設けられている。説明表示手段1aにおける「説明」とは、治療に関する説明・指示・注意書き等を示している。その表示の方法は文字、数字、記号及びこれらが組み合わされた表、イラスト、色彩等が自由に使用可能であるが、間違いを抑えて別途チャート等を必要としないためには少なくとも文字が含まれていることが好ましい。
【００２２】
図１の実施形態において説明表示手段1aは、インプラントアバットメントの組み合わせを表す図画である。本実施形態では歯科用アバットメントを示す図画であるが、後で示すようにその代わりに、穿設すべき埋入孔を形成するためのドリルのステップを示す図画であってもよい。説明表示手段1aを設ける手段は、公開実用新案公報（平２−１４３１９号公報）に示されているように透明ポケットを用いる方法ではコストがかかるため、手術用の使い捨てグローブであることを考慮すると、印刷であることが好ましい。
【００２３】
図２は他の実施形態に係る医療用使い捨てグローブ１の説明用の正面図である。この医療用使い捨てグローブ１は右手用である。医療用使い捨てグローブ１の指の部分には親指を除いて12a〜15aまでの説明表示手段が設けられている。なお、図面中では表示される説明は省略されており表れていない。
【００２４】
図２において、人差し指には12a、中指には13a、薬指には14a、小指には15aの説明表示手段が設けられている。ここで、人差し指部分に設けられている説明表示手段12aは、他の指に表示されている手段13a〜15aに示されている説明よりも先に術者が確認する必要のあるものが表示されている。即ち、「指折り数える」という人の持つ感覚を利用して説明の順を追って自然に術者が順序よく確認ができるように表示されている。従って、その後の順は、中指の説明表示手段13a、薬指の説明表示手段14a、小指の説明表示手段15aと確認していくこととなる。また図２において、手の甲部分に設けられている説明表示手段10aは、先の図１に記した実施例における説明表示手段1aと同様に治療の全体的な、共通な、あるいは各指に表示された説明とは独立した情報が表示されている。
【００２５】
具体的には、例えば、歯科用インプラントの顎骨内に埋入孔を穿設する際に用いるドリルの順序を、使用順に人差し指から小指までの説明表示手段に表示したり、歯科用インプラントのフィクスチャーからその上部へ構築されるアバットメントの組み立て順を示す説明等がある。歯科における接着治療であれば、歯面処理材に関する処理液、処理時間等の情報が指を追う毎に各ステップが順に表示される。
【００２６】
図３は、さらに他の実施形態の医療用使い捨てグローブ１の説明用の正面図である。この医療用使い捨てグローブ１は右手用である。医療用使い捨てグローブ１の指の部分には親指から小指に111a〜115aの説明表示手段が設けられている。なお、図面中では表示される説明は省略されており表れていない。親指も同様であるが、他の指と区別するために特に斜線で区別している。
【００２７】
図３に示した実施例では、親指に設けられている説明表示手段111aに表示されている説明が基準となり、他の指の説明表示手段112a〜115aには、親指の説明表示手段111aに表示されている説明と対応して意味を持つ説明が表示されている。例えば、親指の説明表示手段111aに表示されている説明が歯科用インプラントのフィクスチャーを示している場合、人差し指に設けられている説明表示手段112aには該フィクスチャーに対応したドリルの、同様に中指に設けられている説明表示手段113aには該フィクスチャーに対応したアバットメント部品の、薬指に設けられている説明表示手段114aには該アバットメント部品に対応したネジ部材の、及び小指に設けられている説明表示手段115aには該ネジ部材に対応したドライバー等の説明が表示されている。これにより術者は、チャート等を確認することなく、基準となるフィクスチャーに対応したそれぞれの部品等の説明を容易に且つ正確に知ることができる。
【００２８】
歯科の接着治療であれば、親指に設けられている説明表示手段111aには基本となる接着剤の説明が表示されており、人差し指に設けられている説明表示手段112aには該接着剤を金属に使用する場合の説明が表示されており、同様に中指に設けられている説明表示手段113aは陶材に対する説明が表示されていることが例示できる。
【００２９】
図４は、さらに他の実施形態の左右一組の医療用使い捨てグローブ１の説明用の正面図であり、両手の甲側面から見た図である。左右の医療用使い捨てグローブ１の各指の部分には親指から小指まで説明表示手段（121a〜125a）が設けられている。
【００３０】
図４に示した例では、説明表示手段（121a〜151a）は、それぞれの指に対応して左右で互いに関連のある説明が表示されている。例えば、人差し指に設けられている説明表示手段（122a，122a）は左右で互いに関連している。そして例えば、歯科用インプラントの手術であれば右手側がフィクスチャー、左手側がそのフィクスチャーに対応したネジ部材となっている。即ち、右手側にそれぞれの指毎に５種類のフィクスチャーの情報が説明表示手段（121a〜125a）に示されている場合であれば、それぞれの指に設けられている説明表示手段はフィクスチャーに対応するネジ部材の説明が左手の各対応する指に設けられている説明表示手段に示されている。
【００３１】
従来より、例えばキーボードの練習用手袋等のように文字等が指部に記載されているアイディアは実開平０５−０９４８６８号公報、実開平０６−０６１６４１８号公報、特開平０８−１４６８６６号公報、特開平０９−２９７５２６号公報、特開２００２−０４１２２１号公報、特開２００４−１９９６３５号公報のように多く存在するが、表示されている内容が指の順を追って関連付けられて表示されているものや、親指を基準として他の指に説明が関連付けられて表示されているものや、左右の対応する指に互いに関連する説明が表示されているものはなかった。
【００３２】
本考案に係る医療用使い捨てグローブの材質は、合成樹脂またはゴムであり、好ましくは、天然ゴムラテックス、アクリロニトリル、塩化ポリビニルから選ばれる少なくとも１種である。また、本考案に係る医療用使い捨てグローブは、説明内容の確認が行いやすいように少なくとも説明表示手段1aの部分は実質的に半透明乃至不透明である。
【図１】
0003191794.tif 000003
【図２】
0003191794.tif 000004
【図３】
0003191794.tif 000005
【図４】
0003191794.tif 000006